(57)【要約】【課題】親機と子機間の電波の交信状況を確認できることは勿論、電波を送信している送信元をも特定でき、これにより、無線テレメータシステムの設置時の調整や保守時の点検における作業効率の向上を図れる無線テレメータシステム測定装置を提供する。【解決手段】無線テレメータシステム１における親機１４と子機１５との間で交信が行われた時の電波を無線テレメータシステム測定装置２で受信し、無線テレメータシステム測定装置２は、受信した電波の電界強度を測定すると共にその電波に含まれる無線電文を受信して解析することにより無線電文が親機から送信されたものであるか、子機から送信されたものであるかの無線電文の送信元を判定する。【選択図】　　　図１
2004021771.tif 000002
【特許請求の範囲】
【請求項１】
中央集中監視を行うセンタ側装置に通信回線を介して接続された親機と、所定の計測対象を計測するメータが接続された子機との間を無線で交信するように構成され、前記メータの計測結果を前記子機から前記親機に送信しさらに前記親機から前記通信回線を介して前記センタ側装置に伝送するように構成された無線テレメータシステムに対して性能を測定する測定装置であって、前記親機と前記子機との間で交信が行われた時の電波の電界強度を測定すると共に前記親機と前記子機との間で交信が行われた時に交信される電波に含まれる無線電文を受信して解析することにより前記無線電文が前記親機から送信されたものであるか前記子機から送信されたものであるかの無線電文の送信元を判定する処理回路を備えたことを特徴とする無線テレメータシステム測定装置。
【請求項２】
中央集中監視を行うセンタ側装置に通信回線を介して接続された親機と、所定の計測対象を計測するメータが接続された子機との間を無線で交信するように構成され、前記メータの計測結果を前記子機から前記親機に送信しさらに前記親機から前記通信回線を介して前記センタ側装置に伝送するように構成された無線テレメータシステムに対して性能を測定する測定装置であって、前記親機と前記子機との間で交信が行われた時の電波の電界強度を測定する電界強度測定手段と、前記親機と前記子機との間で交信が行われた時に交信される電波に含まれる無線電文を読み取る無線電文読取手段と、前記読み取られた無線電文の内容を解析することにより前記無線電文が前記親機から送信されたものであるか前記子機から送信されたものであるかの無線電文の送信元を判定する送信元判定手段と、前記電界強度測定手段により測定された電界強度および前記送信元判定手段により判定された無線電文の送信元を報知する報知手段とを備えたことを特徴とする無線テレメータシステム測定装置。
【請求項３】
前記無線電文は、送信側機器を示す識別子である送信ＩＤと、受信側機器を示す識別子である受信ＩＤと、送信したい電文を含むデータとを有し、前記送信元判定手段は、前記無線電文に含まれるデータ及び／または送信ＩＤと受信ＩＤとを解析することにより、無線電文の送信元を判定することを特徴とする請求項２に記載の無線テレメータシステム測定装置。
【請求項４】
前記無線電文は、送信側機器を示す識別子である送信ＩＤと、受信側機器を示す識別子である受信ＩＤと、送信したい電文を含むデータとを有し、前記送信元判定手段は、前記無線電文に含まれるデータを解析することにより、前記無線電文の送信元を判定すると共に、この判定結果と送信ＩＤ及び受信ＩＤを関連付けて記憶手段に記憶し、以降の前記親機と前記子機間の交信で、すでに判定された送信ＩＤまたは受信ＩＤを含む無線電文を受信した場合には、前記無線電文に含まれる送信ＩＤまたは受信ＩＤを受信した時点で、前記親機から送信された無線電文か、前記子機から送信された無線電文かの判定を前記記憶手段に記憶された判定結果により行うことを特徴とする請求項２に記載の無線テレメータシステム測定装置。
【請求項５】
前記報知手段は、前記電界強度測定手段により測定された電界強度および前記送信元判定手段により判定された無線電文の送信元を、画面表示することを特徴とする請求項２に記載の無線テレメータシステム測定装置。
【請求項６】
前記報知手段は、前記電界強度測定手段により測定された電界強度および前記送信元判定手段により判定された無線電文の送信元を、複数の発光素子で表示することを特徴とする請求項２に記載の無線テレメータシステム測定装置。
【請求項７】
前記報知手段は、前記電界強度測定手段により測定された電界強度および前記送信元判定手段により判定された無線電文の送信元を、音声発生手段から発生する音の変化により報知することを特徴とする請求項２に記載の無線テレメータシステム測定装置。
【発明の詳細な説明】
【０００１】
【発明の属する技術分野】
本発明は、電気、ガス、水道などの使用量を計測する多数のメータを無線により遠隔操作し、メータの中央集中監視を行う無線テレメータシステムに対して設置や保守の際に性能を測定するために用いられる無線テレメータシステム測定装置に関する。
【０００２】
【従来の技術】
従来から、この種の無線テレメータシステムは、電気やガスや水道などの使用量を計測する多数のメータを中央で集中監視するセンタ側装置と、電話回線などの通信回線を介して前記センタ側装置に接続された端末網制御装置と、この端末網制御装置に接続された複数の親機と、親機と無線で通信を行う複数の子機と、子機に接続された電気やガスや水道などの使用量を計測するメータとを備えている。なお、子機とメータは一体化されマイコンメータとして知られている。
【０００３】
前記端末網制御装置には複数の親機が接続され、これらの各親機はそれぞれ担当する複数の子機と無線で通信を行うことができるように構成されている。即ち１台の端末網制御装置に対して複数台の親機が接続され、１台の親機は予め定めた複数台の子機と無線で通信を行うことができるようになっている。センタ側装置は、通信回線、端末網制御装置、親機、電波による無線回線、および子機を介してメータに検針要求を与えたり、逆に、子機、電波による無線回線、親機、端末網制御装置、通信回線を介してメータからの計測結果を得たりすることができる。
【０００４】
【発明が解決しようとする課題】
ところで、無線テレメータシステムを設置した場合や保守する場合に、特に親機と子機間の電波の交信状況を確認する必要がある。そこで、従来では、親機と子機間の電波の交信状況を確認する場合、スペクトラムアナライザを用いて所定の周波数における電波の電界強度を測定することにより、親機と子機間の電波の交信状況を確認していた。
【０００５】
しかしながら、スペクトラムアナライザを用いると、親機または子機から所定の周波数で電波が送信されているかどうかの確認と電波の電界強度の測定は可能であるが、電波を送信している送信元（親機、子機）の特定はできなかった。
【０００６】
無線テレメータシステムにおいて、例えば、親機または子機の電波出力を調整する場合、電波を送信している送信元の特定はスペクトラムアナライザではできないので、送信元の特定を行おうとすると、時間と手間が多くかかり、また、親機または子機のどちらかで電波の送信がない場合も、親機と子機の内どちらの機器が故障しているかを調べるのに時間と手間が多くかかる。したがって、従来では無線テレメータシステムの設置時の調整や保守時の点検の作業効率が劣っていた。
【０００７】
本発明は上記のような課題を解決するためになされたもので、親機と子機間の電波の交信状況を確認できることは勿論、電波を送信している送信元をも特定でき、これにより、無線テレメータシステムの設置時の調整や保守時の点検における作業効率の向上を図れる無線テレメータシステム測定装置を提供することを目的とする。
【０００８】
【課題を解決するための手段】
斯かる課題を解決するべく本発明は、無線テレメータシステムにおける親機と子機との間で交信が行われた時の電波の電界強度を測定すると共に、前記親機と前記子機との間で交信が行われた時に交信される電波に含まれる無線電文を受信して解析することにより前記無線電文が前記親機から送信されたものであるか前記子機から送信されたものであるかの無線電文の送信元を判定する処理回路を備えた無線テレメータシステム測定装置を提供する。
【０００９】
本発明の無線テレメータシステム測定装置によれば、無線テレメータシステムにおける親機と子機との間で交信が行われた時の電波を受信して、電波の電界強度を測定するので、前記親機と前記子機間の電波の交信状況を確認でき、またその電波に含まれる無線電文を受信して解析することにより前記無線電文が前記親機から送信されたものであるか、前記子機から送信されたものであるかの無線電文の送信元を判定するので、送信元の機器を特定できる。
【００１０】
したがって、本発明の無線テレメータシステム測定装置は、親機と子機間の電波の交信状況を確認できることは勿論、電波を送信している送信元の機器をも特定できるので、無線テレメータシステムの設置時の調整や保守時の点検における作業効率が向上する。
【００１１】
また、本発明は、無線テレメータシステムにおける親機と子機との間で交信が行われた時の電波の電界強度を測定する電界強度測定手段と、前記親機と前記子機との間で交信が行われた時に交信される無線電文を読み取る無線電文読取手段と、前記読み取られた無線電文の内容を解析することにより前記無線電文が前記親機から送信されたものであるか前記子機から送信されたものであるかの無線電文の送信元を判定する送信元判定手段と、前記電界強度測定手段により測定された電界強度および前記送信元判定手段により判定された無線電文の送信元を報知する報知手段とを備えた無線テレメータシステム測定装置を提供する。
【００１２】
本発明の無線テレメータシステム測定装置によれば、無線テレメータシステムにおける親機と子機との間で交信が行われた時の電波の電界強度が電界強度測定手段により測定されると共に、その電波に含まれる無線電文は、無線電文読取手段により読み取られ、送信元判定手段により解析されて前記親機から送信されたものであるか、前記子機から送信されたものであるかが判定される。
【００１３】
したがって、本発明の無線テレメータシステム測定装置は、親機と子機間の電波の交信状況を確認できることは勿論、電波を送信している送信元の機器をも特定できるので、無線テレメータシステムの設置時の調整や保守時の点検における作業効率が向上する。
【００１４】
また、本発明において、前記無線電文は、送信側機器を示す識別子である送信ＩＤと、受信側機器を示す識別子である受信ＩＤと、送信したい電文を含むデータとを有し、前記送信元判定手段は、前記無線電文に含まれるデータ及び／または送信ＩＤと受信ＩＤとを解析することにより、無線電文の送信元を判定するので、親機と子機間で電波の交信があった場合、その電波の送信元が前記親機であるか前記子機であるかが分かる。
【００１５】
また、本発明において、前記無線電文は、送信側機器を示す識別子である送信ＩＤと、受信側機器を示す識別子である受信ＩＤと、送信したい電文を含むデータとを有し、前記送信元判定手段は、前記無線電文に含まれるデータを解析することにより、前記無線電文の送信元を判定するので、親機と子機間で電波の交信があった場合、その電波の送信元が前記親機であるか前記子機であるかが分かる。
【００１６】
また、その判定結果と送信ＩＤ及び受信ＩＤを関連付けて記憶手段に記憶し、以降の前記親機と前記子機間の交信で、すでに判定された送信ＩＤと受信ＩＤを含む無線電文を受信した場合には、前記無線電文に含まれる送信ＩＤまたは受信ＩＤを受信した時点で、前記親機から送信された無線電文か、前記子機から送信された無線電文かの判定を前記記憶手段に記憶された判定結果により行うので、すでに判定された送信ＩＤまたは受信ＩＤを含む無線電文を受信した場合は、前記無線電文に含まれるデータを解析する前に送信元の機器を特定でき、したがって、無線電文に含まれる送信ＩＤと受信ＩＤとデータとを解析して無線電文の送信元の機器を特定するのに比べ、送信元の機器の特定を速く行うことができる。
【００１７】
また、本発明において、前記報知手段は、前記電界強度測定手段により測定された電界強度および前記送信元判定手段により判定された無線電文の送信元の機器を画面表示するようにした。したがって、例えば、電界強度を数値やグラフで表示し、また、送信元の機器を番号や図形で表示するようにすれば、電界強度の詳細および送信元の機器が画面上で確認できるので、好ましい。
【００１８】
また、本発明において、前記報知手段は、前記電界強度測定手段により測定された電界強度および前記送信元判定手段により判定された無線電文の送信元を、複数の発光素子で表示するようにした。したがって、例えば、電界強度を複数の発光素子を用いてレベル表示し、また、各送信元を各発光素子にそれぞれ対応させて表示するようにすれば、簡単な構成で、電界強度および送信元が確認できるので、好ましい。
【００１９】
また、本発明において、前記報知手段は、前記電界強度測定手段により測定された電界強度および前記送信元判定手段により判定された無線電文の送信元を、音声発生手段から発生する音の変化により報知するようにした。例えば、電界強度に応じて音程を変えるようにすれば、音で電界強度を確認することができ、また、無線電文を受信している間、音を鳴動させるようにすれば、音で無線電文の受信の確認ができ、また、無線電文が親機から送信された場合と、子機から送信された場合とで、音程や音色を変えるようにすれば、無線電文の送信元の機器を確認するのに表示を見なくても音で確認することができる。したがって、表示を見る煩わしさがなくなるので、好ましい。
【００２０】
【発明の実施の形態】
以下、添付図面を参照しつつ、本発明の実施の形態について説明する。図１は本発明の一実施形態に係る無線テレメータシステムの構成を示すブロック図である。この無線テレメータシステム１は、電気やガスや水道などの使用量を計測するメータを中央で集中監視するセンタ側装置１１、電話回線などの通信回線１２を介してセンタ側装置１１に接続された端末網制御装置１３、この端末網制御装置１３に接続された親機１４、この親機１４と無線で通信を行う子機１５、および子機１５に接続された電気やガスや水道などの使用量を計測するメータ１６を備えている。
【００２１】
また、無線テレメータシステム測定装置２は、親機１４と子機１５との間の無線でのデータの交信をモニタし、無線テレメータシステム１の設置時および保守時に、電波の電界強度を測定することができると共に、無線電文を送信した送信元の機器を特定することができる機能を有している。
【００２２】
なお、図１では、端末網制御装置１３に接続されている親機は１台であるが、端末網制御装置１３には親機が複数台接続できるようになっている。また、親機１４と通信を行う子機は１台示しているが、１台の親機に対して複数台の子機が通信を行えるようになっている。
【００２３】
図２は本実施形態における無線テレメータシステム測定装置２の構成を示すブロック図である。この無線テレメータシステム測定装置２は、電波を受信するアンテナ２１と、このアンテナ２１で受信した電波のうちの希望周波数信号を選択してデジタル信号に変換して出力すると共に希望周波数信号の電圧レベルを示す電気信号を出力する無線通信ユニット２２と、この無線通信ユニット２２から出力された電気信号（電波の電界強度に応じた電圧レベルのアナログ信号）をデジタル信号に変換するＡ／Ｄ（アナログ／デジタル）変換器２３とを備えている。
【００２４】
また、この無線テレメータシステム測定装置２は、本装置全体を制御する処理回路としてのマイコン（マイクロコンピュータ）２４と、このマイコン２４の処理に必要なデータを記憶するメモリ２５と、マイコン２４に操作信号やデータを入力するキー入力部２６と、マイコン２４で処理された情報やキー入力部２６から入力された入力情報などを画面表示する液晶表示部２７と、マイコン２４から出力されたＬＥＤ駆動信号により表示される複数のＬＥＤ（発光ダイオード）を有するＬＥＤ表示部２８と、マイコン２４から出力されたブザー駆動信号により音を発生するブザー２９とを備えている。
【００２５】
本実施形態の特徴として、マイコン２４は、無線テレメータシステム１における親機１４と子機１５との間で交信が行われた時の電波の電界強度を測定する電界強度測定手段と、親機１４と子機１５との間で交信が行われた時に交信される電波に含まれる無線電文を読み取る無線電文読取手段と、前記読み取られた無線電文の内容を解析することにより前記無線電文が親機１４から送信されたものであるか子機１５から送信されたものであるかの無線電文の送信元を判定する送信元判定手段とを備えている。
【００２６】
図３は本実施形態における親機１４と子機１５との間で交信される基本的な無線電文のフォーマット図である。図３に示すように、無線電文は、基本的に、無線ヘッダ（電文の先頭）を設定する無線ヘッダ部３１と、送信ＩＤ（送信側機器の識別子）を設定する送信ＩＤ部３２と、受信ＩＤ（受信側機器の識別子）を設定する受信ＩＤ部３３と、送信する電文やデータを設定するデータ部３４とを含み構成されている。
【００２７】
図４は、本実施形態における無線テレメータシステム１の検針処理を示すシーケンス図である。以下、このシーケンス図を参照して無線テレメータシステム１の検針処理および無線テレメータシステム測定装置２の測定処理について説明する。
【００２８】
センタ側装置１１は、電気やガスや水道などのメータ１６の検針を行いたい場合、通信回線１２を介して端末網制御装置１３に検針要求電文を送信する。端末網制御装置１３は、その検針要求電文を受信すると、親機１４に対して、その検針要求電文を送信する。そして親機１４は、その検針要求電文を受信すると、図３で説明したような無線電文を子機１５に無線で送信する。このときに親機１４から子機１５へ送信される無線電文は、無線ヘッダ部３１に設定された無線ヘッダと、送信ＩＤ部３２に設定され送信側の親機１４自体を示す送信ＩＤと、受信ＩＤ部３３に設定され検針を行いたいメータ１６が接続された受信側の子機１５自体を示す受信ＩＤと、データ部３４に設定され検針要求電文を含むデータとを含み構成されている。
【００２９】
次に、子機１５は、親機１４からの無線電文を受信し、この無線電文に含まれる受信ＩＤを確認し、自体に与えられたＩＤと一致した場合、無線電文を受け取ったことを親機１４に返信するための無線電文を親機１４に無線で送信すると共に、メータ１６に対して検針要求電文を送信する。このときに子機１５から親機１４へ送信される無線電文は、無線ヘッダ部３１に設定された無線ヘッダと、送信ＩＤ部３２に設定され送信側の子機１５自体を示す送信ＩＤと、受信ＩＤ部３３に設定され受信側の親機１４自体を示す受信ＩＤと、データ部３４に設定され親機１４から無線電文を受け取ったことを示すＡＣＫ（肯定応答文字）を含むデータとを含み構成されている。
【００３０】
メータ１６は、子機１５からの検針要求電文を受け取ると、現在の指針値を検針応答電文に含めて、子機１５に送信する。子機１５は、メータ１６からの検針応答電文を受け取ると、無線電文を親機１４に無線で送信する。このときに子機１５から親機１４へ送信される無線電文は、無線ヘッダ部３１に設定された無線ヘッダと、送信ＩＤ部３２に設定され送信側の子機１５自体を示す送信ＩＤと、受信ＩＤ部３３に設定され受信側の親機１４自体を示す受信ＩＤと、データ部３４に設定され検針応答電文を含むデータとを含み構成されている。
【００３１】
子機１５からの無線電文を受け取った親機１４は、その無線電文に含まれる受信ＩＤを確認し、受信ＩＤが親機１４自体に与えらたＩＤと一致した場合、無線電文を受け取ったことを子機１５に返信するための無線電文を送信すると共に端末網制御装置１３に対して検針応答電文を送信する。このときに親機１４から子機１５へ送信される無線電文は、無線ヘッダ部３１に設定された無線ヘッダと、送信ＩＤ部３２に設定され送信側の親機１４自体を示す送信ＩＤと、受信ＩＤ部３３に設定され受信側の子機１５自体を示す受信ＩＤと、データ部３４に設定され子機１５から無線電文を受け取ったことを示すＡＣＫ（肯定応答文字）を含むデータとを含み構成されている。
【００３２】
端末網制御装置１３は、親機１４からの検針応答電文を受け取ると、センタ側装置１１にその検針応答電文を送信する。検針応答電文を受け取ったセンタ側装置１１は、検針応答電文から検針値を得ることによって電気やガスや水道などの使用料を算出することができる。
【００３３】
無線テレメータシステム測定装置２は、親機１４と子機１５との間の無線電文の交信をモニタしている。ここで、親機１４から検針要求電文をデータに含む無線電文が子機１５に送信されると、その無線電文を含む電波がアンテナ２１で受信され、電気信号として無線通信ユニット２２に与えられる。無線通信ユニット２２では、アンテナ２１から与えられた電気信号の電圧レベル（受信電波の電界強度に応じた電圧レベル）をデジタル信号に変換するため、Ａ／Ｄ変換器２３に前記電気信号を与える。Ａ／Ｄ変換器２３は、無線通信ユニット２２から与えられたアナログの電気信号をデジタル信号に変換し、このデジタル信号をマイコン２４に与える。
【００３４】
マイコン２４は、Ａ／Ｄ変換器２３からのデジタル信号を処理して、受信電波の電界強度レベルを、液晶表示部２７に数値やグラフなどで画面表示したり、レベルメータ用のＬＥＤ表示部２８にレベル表示したりする。また、マイコン２４は、無線通信ユニット２２でデジタル信号に変換された無線電文を入力し、その無線電文に含まれる送信ＩＤを識別する。この例では、その無線電文に含まれる検針要求電文を送信したのは親機１４であるので、無線電文中の送信ＩＤは親機１４を示し、したがって、マイコン２４は、検針要求電文を送信したのは親機１４であることを認識し、当該検針要求電文が親機１４から送信されたことを示す表示を、液晶表示部２７またはＬＥＤ表示部２８に行わせる。
【００３５】
ところで、送信ＩＤと受信ＩＤとデータとを含む無線電文に基づいて、無線電文を送信した機器を判定した結果をメモリ２５に記憶しておくことにより、以降の機器間の交信で同じ送信ＩＤまたは受信ＩＤを含む無線電文は親機１４が送信した無線電文であると判断できる。
【００３６】
また、親機１４と交信する子機１５が送信する無線電文中の送信ＩＤは、親機１４からの無線電文中の受信ＩＤと同じであり、子機１５が送信する無線電文中の受信ＩＤは、親機１４からの無線電文中の送信ＩＤと同じであるので、親機１４からの無線電文中の送信ＩＤを受信ＩＤに含み同じく親機１４からの無線電文中の受信ＩＤを送信ＩＤに含む無線電文は、子機１５が送信した無線電文であると判断でき、無線電文に含まれるデータを解析する前に、送信ＩＤまたは受信ＩＤを受信した時点で送信した機器を特定することができる。
【００３７】
このように、親機１４からの検針要求電文に対するＡＣＫ電文は子機１５の送信によるもので、検針応答電文は子機１５の送信によるもので、また、子機１５からの検針応答電文に対するＡＣＫ電文は親機１４の送信によるものであることが、送信ＩＤおよび受信ＩＤにより判断することができる。
【００３８】
以上のような動作により、液晶表示部２７または／およびＬＥＤ表示部２８には無線電文を送信した機器と、無線電文の電波の電界強度とを表示させることができる。例えば、液晶表示部２７に、電界強度を数値やグラフで表示し、また、送信元の機器を番号や図形で表示するようにすれば、電界強度の詳細および送信元の機器が画面上で確認できる。また、電界強度を、ＬＥＤ表示部２８の複数の発光素子を用いてレベル表示し、また、各送信元を各発光素子にそれぞれ対応させて表示するようにすれば、簡単な構成で、電界強度および送信元が確認できるようになる。
【００３９】
ブザー２９は、電界強度に応じて発生する音程を変えるようにすれば、音で電界強度を確認することができ、また、無線電文を受信している間、音を鳴動させるようにすれば、音で無線電文の受信の確認ができ、また、無線電文が親機から送信された場合と、子機から送信された場合とで、音程や音色を変えるようにすれば、無線電文の送信元の機器を確認するのに表示を見なくても音で確認することができる。したがって、ブザー２９を用いれば、親機１４と子機１５との間の交信の様子を、液晶表示部２７やＬＥＤ表示部２８の表示を見ずに音で確認することができるので、表示を見る煩わしさがなくなる。なお、ここで言うブザーはスピーカも概念的に含まれる。
【００４０】
以上説明した実施形態による無線テレメータシステム測定装置２によれば、無線テレメータシステム１における親機１４と子機１５との間で交信が行われた時の電波を受信して、電波の電界強度を測定するので、親機１４と子機１５間の電波の交信状況を確認でき、また、その電波に含まれる無線電文を受信して解析することにより前記無線電文が親機１４から送信されたものであるか、子機１５から送信されたものであるかの無線電文の送信元を判定するので、送信元の機器を特定できる。
【００４１】
したがって、本実施形態の無線テレメータシステム測定装置２は、親機１４と子機１５間の電波の交信状況を確認できることは勿論、電波を送信している送信元の機器をも特定できるので、無線テレメータシステム１の設置時の調整や保守時の点検における作業効率を向上させることができる。
【００４２】
【発明の効果】
以上のように本発明の無線テレメータシステム測定装置によれば、無線テレメータシステムにおいて親機と子機との間で交信が行われた時の電波の電界強度を測定すると共に、前記親機と前記子機との間で交信が行われた時に交信される電波に含まれる無線電文を受信して解析することにより前記無線電文が前記親機から送信されたものであるか前記子機から送信されたものであるかの無線電文の送信元を判定する処理回路を備えたので、親機と子機間の電波の交信状況を確認できることは勿論、電波を送信している機器をも特定でき、これにより無線テレメータシステムの設置時の調整や保守時の点検における作業効率が向上する。
【００４３】
また、本発明の無線テレメータシステム測定装置によれば、無線テレメータシステムにおいて親機と子機との間で交信が行われた時の電波の電界強度を測定する電界強度測定手段と、前記親機と前記子機との間で交信が行われた時に交信される無線電文を読み取る無線電文読取手段と、前記読み取られた無線電文の内容を解析することにより前記無線電文が前記親機から送信されたものであるか前記子機から送信されたものであるかの無線電文の送信元を判定する送信元判定手段と、前記電界強度測定手段により測定された電界強度および前記送信元判定手段により判定された無線電文の送信元を報知する報知手段とを備えたので、親機と子機間の電波の交信状況を確認できることは勿論、電波を送信している機器をも特定でき、これにより、無線テレメータシステムの設置時の調整や保守時の点検における作業効率が向上する。
【図面の簡単な説明】
【図１】本発明の一実施形態における無線テレメータシステムの構成を示すブロック図である。
【図２】本発明の一実施形態に係る無線テレメータシステム測定装置の構成を示すブロック図である。
【図３】本発明の一実施形態における無線電文のフォーマット図である。
【図４】本発明の一実施形態における無線テレメータシステムの検針処理を示すシーケンス図である。
【符号の説明】
１・・・無線テレメータシステム、　２・・・無線テレメータシステム測定装置、　１１・・・センタ側装置、　１２・・・通信回線、　１４・・・親機、１５・・・子機、　１６・・・メータ、　２４・・・マイコン（電界強度測定手段、無線電文読取手段、送信元判定手段）、２５・・・メモリ（記憶手段）、　２７・・・液晶表示部（報知手段）、　２８・・・ＬＥＤ表示部（報知手段）、　２９・・・ブザー（報知手段）。
【図１】
2004021771.tif 000003
【図２】
2004021771.tif 000004
【図３】
2004021771.tif 000005
【図４】
2004021771.tif 000006